(57)【特許請求の範囲】
【請求項１】
扉に取り付けられる施錠部材と、前記施錠部材の施錠、解錠操作用のハンドルとで構成され、前記施錠部材が、前記扉に固定される固定部材と、前記固定部材に回動可能に装着された回動部材とを有し、前記回動部材が、前記扉の外側に位置して前記固定部材の前端から前方へ延びる前端部と、前記扉の内側に位置して爪金具を取り付け可能な後端部とを有し、前記前端部の前記固定部材に対する当接部位には、前記扉と平行に前記ハンドルを挿抜可能なハンドル挿入口と、前記挿入口から前記回動部材の径方向内方へ延びるハンドル挿入路とが形成され、前記挿入路内の前記ハンドルが前記回動部材と係合し、前記ハンドルの旋回によって前記回動部材が時計方向と反時計方向とへ回動することに伴い、前記扉が開閉可能に取り付けられた固定枠に前記爪金具を係脱させることができる施錠装置において、前記挿入路には、前記挿入口近傍で前記回動部材に固定された固定端部と、前記固定端部から前記固定部材の前端へ次第に近づくように前記回動部材の径方向内方へ延びる自由端部とを有して前記回動部材とともに回動可能な板状ばねが装着され、前記固定部材の前端には、前記板状ばねの自由端部が当接したときに前記回動部材の回動を阻止可能な凸部が形成され、前記回動部材と前記凸部との間には、前記挿入路へ挿入された前記ハンドルが前記板状ばねの付勢に抗して前記板状ばねの前記自由端部を前記固定部材の前端から離間する方向へ移動させたときに、前記板状ばねの自由端部が通行可能な間隙が形成されており、前記回動部材が、前記挿入口の反対側に位置して前記挿入路へ通じる透孔を有し、前記固定部材が、前記透孔の側に位置するケース部と、前記回動部材の軸方向へ鍵を挿抜可能な鍵挿入部を有して前記ケース部に回動可能に装着されたシリンダと、前記シリンダに装着されて前記シリンダの回動により前記透孔へ進退可能なラッチとを有し、前記ラッチが、前記透孔へ進入したときに前記回動部材の回動を阻止可能、かつ、前記板状ばねの自由端部を前記固定部材の前面の方向へ押圧可能であることを特徴とする前記装置。
【請求項２】
前記ケース部と前記シリンダとが、それらの間に介在する錠機構によって互いに係脱可能であって前記鍵を前記鍵挿入部へ挿入すると前記鍵に形成された解除手段で前記錠機構が解除され、前記鍵の回動によって前記シリンダが時計方向と反時計方向とへ回動可能となる請求項２記載の装置。
【発明の詳細な説明】
【０００１】
【発明の属する技術分野】
本発明は、施錠装置に関する。
【０００２】
【従来の技術】
実開平６−６７７４１号公報に開示の施錠装置は、扉に取り付けられる施錠装置本体と、本体に挿抜可能なハンドルとで構成されている。本体は、扉に固定される固定部材と、固定部材の内部に回動可能に装着され、扉の内側へ露出する後端部に爪金具を取り付け可能な回動部材とによって形成されている。固定部材と回動部材とには、扉の外側へ露出する前端部に扉前面と平行にハンドルの挿抜を可能とするハンドル挿入口が形成され、回動部材は、ハンドル挿入口から回動部材の径方向内方へ延びるハンドル挿入路を有する。回動部材には、ハンドルの係脱に伴い移動する接触子と、ハンドルの旋回に伴いスライドするスライド部材とが装着されている。
【０００３】
施錠装置は、ハンドルをハンドル挿入路から抜脱すると、接触子の大径部とスライド部材の係合部とが互いに当接し、接触子がスライド部材のスライドを拘束して本体の施錠状態を保つ。ハンドルをハンドル挿入路へ挿入すると、接触子が移動して接触子の小径部とスライド部材の係合部とが互いに対向し、スライド部材のスライドが可能となり回動部材を回動させることができる。挿入されたハンドルの旋回動作で回動部材を時計方向と反時計方向とへ回動させ、本体の固定枠に対する施錠、解錠操作を行う。
【０００４】
【発明が解決しようとする課題】
前記施錠装置は、接触子とスライド部材とを備え、それらの協働により鍵の解錠を困難にした複雑な機構である。しかし、機構の複雑化は、鍵の生産コストの上昇や故障の原因になりかねない。
【０００５】
本発明は、簡単な構造で、解錠が困難な施錠装置の提供を課題とする。
【０００６】
【課題を解決するための手段】
前述した課題を解決するために、本発明が前提とするのは、扉に取り付けられる施錠部材と、前記施錠部材の施錠、解錠操作用のハンドルとで構成され、前記施錠部材が、前記扉に固定される固定部材と、前記固定部材に回動可能に装着された回動部材とを有し、前記回動部材が、前記扉の外側に位置して前記固定部材の前端から前方へ延びる前端部と、前記扉の内側に位置して爪金具を取り付け可能な後端部とを有し、前記前端部の前記固定部材に対する当接部位には、前記扉と平行に前記ハンドルを挿抜可能なハンドル挿入口と、前記挿入口から前記回動部材の径方向内方へ延びるハンドル挿入路とが形成され、前記挿入路内の前記ハンドルが前記回動部材と係合し、前記ハンドルの旋回によって前記回動部材が時計方向と反時計方向とへ回動することに伴い、前記扉が開閉可能に取り付けられた固定枠に前記爪金具を係脱させることができる施錠装置である。
【０００７】
かかる前提において、本発明が特徴とするところは、前記挿入路には、前記挿入口近傍で前記回動部材に固定された固定端部と、前記固定端部から前記固定部材の前端へ次第に近づくように前記回動部材の径方向内方へ延びる自由端部とを有して前記回動部材とともに回動可能な板状ばねが装着され、前記固定部材の前端には、前記板状ばねの自由端部が当接したときに前記回動部材の回動を阻止可能な凸部が形成され、前記回動部材と前記凸部との間には、前記挿入路へ挿入された前記ハンドルが前記板状ばねの付勢に抗して前記板状ばねの前記自由端部を前記固定部材の前端から離間する方向へ移動させたときに、前記板状ばねの自由端部が通行可能な間隙が形成されており、前記回動部材が、前記挿入口の反対側に位置して前記挿入路へ通じる透孔を有し、前記固定部材が、前記透孔の側に位置するケース部と、前記回動部材の軸方向へ鍵を挿抜可能な鍵挿入部を有して前記ケース部に回動可能に装着されたシリンダと、前記シリンダに装着されて前記シリンダの回動により前記透孔へ進退可能なラッチとを有し、前記ラッチが、前記透孔へ進入したときに前記回動部材の回動を阻止可能、かつ、前記板状ばねの自由端部を前記固定部材の前面の方向へ押圧可能であること、にある。
【０００８】
【０００９】
本発明の実施の形態の一例としては、前記ケース部と前記シリンダとが、それらの間に介在する錠機構によって互いに係脱可能であって前記鍵を前記鍵挿入部へ挿入すると前記鍵に形成された解除手段で前記錠機構が解除され、前記鍵の回動によって前記シリンダが時計方向と反時計方向とへ回動可能となる。
【００１０】
【発明の実施の形態】
添付の図に基づいて、本発明に係る施錠装置の詳細を説明すると、以下のとおりである。
【００１１】
図１，２は、開閉する扉１６の側部に扉１６の外側から内側へ貫通させて取り付けた施錠装置の部分破断斜視図と、施錠装置と扉１６とを切断して示す図１のＡ−Ａ線矢視断面図である。
【００１２】
施錠装置は、扉１６に取り付けられる施錠部材１と、施錠部材１に対して挿抜可能であって施錠装置の施錠、解錠操作用のハンドル１２と、施錠部材１に対して挿抜可能な鍵１１とで構成されている。図１では、ハンドル１２と鍵１１とが施錠部材１から抜脱した状態にあり、施錠部材１の爪金具１３が固定枠１７に内側から係合し、固定枠１７に対して閉じられた扉１６が施錠された状態にある。
【００１３】
ハンドル１２を扉１６と平行に矢印Ｘ方向から施錠部材１へ挿入し、ハンドル１２を矢印Ｙ方向へ旋回させると、爪金具１３も矢印Ｙ方向へ旋回して固定枠１７との係合が解かれ、扉１６が解錠状態となる。ハンドル１２の施錠部材１に対する挿入部１２ａには、挿入部１２ａの前端から挿入方向と反対の方向へ延びる凹部１２ｂが形成されている。鍵１１の施錠部材１に対する挿入部１１ａには、多数の凹凸１１ｂが形成されている。
【００１４】
施錠部材１は、扉１６に固定される固定部材２と、固定部材２に回動可能に装着された回動部材３とで形成され、回動部材３の回動を阻止可能な後記の回動停止機構を有する。
【００１５】
固定部材２は、扉１６の外側に位置する前端部２ａと、扉１６の内側に位置する後端部２ｂと、前後端部２ａ，２ｂ間を貫通する中空部２ｃとを有する。固定部材２は、固定部材２の後端部２ｂの周面に形成された螺子にナット１８を螺着し、前端部２ａとナット１８とで扉１６を挟むようにして取り付けられている。
【００１６】
固定部材２の前端部２ａには、固定部材２の周り方向へ延びる溝部２ｆが形成されている。溝部２ｆは、回動部材３の回動範囲を約９０°に規制するためのもので、回動部材３に形成されたピン（図示せず）が溝部２ｆに進入し、溝部２ｆの終端にピンが当接すると、それ以上回動部材３を回動させることができない。
【００１７】
回動部材３は、扉１６の外側に位置して固定部材２の前端２ｄから前方へ延びる前端部３ａと、扉１６の内側に位置して固定部材２の後端から露出する後端部３ｂとを有する。回動部材３は、その軸３ｃが固定部材２の中空部２ｃに挿通され、回動部材３の前端部３ａが固定部材２の前端２ｄに摺接した状態で時計方向と反時計方向とへ回動可能である。
【００１８】
回動部材３の後端部３ｂには、爪金具１３が回動部材３の周方向へ回動することがないような状態で、後端部３ｂにワッシャ１４を介して螺着するボルト１５によって取り付けられている。
【００１９】
回動部材３の前端部３ａの固定部材２に対する当接部位には、扉１６と平行にハンドル１２を挿抜可能なハンドル挿入口４と、挿入口４から回動部材３の径方向内方へ延びるハンドル挿入路５と、挿入口４の反対側に位置して挿入路５へ通じる透孔７とが形成されている。
【００２０】
挿入路５の内部には、挿入口４から回動部材３の径方向内方へ延びる板状ばね６が装着されている。板状ばね６は、ほぼＵ字状の平面形状を呈し、挿入口４近傍に位置する固定端部６ａと、固定端部６ａから透孔７の方向へ回動部材３の軸３ｃを挟んで延びる互いに並行な一対の自由端部６ｂとを有する。固定端部６ａは、回動部材３の挿入路５にビス１９で固定されている。自由端部６ｂは、固定端部６ａから透孔７の方向へ向かって固定部材２の前端２ｄへ次第に近づくように延びている。
【００２１】
固定部材２の前端２ｄには、板状ばね６の自由端部６ｂの間で回動部材３の軸方向前方へ延びる凸部２ｅが形成されている。凸部２ｅは、板状ばね６が回動して自由端部６ｂの側面が凸部２ｅに当接したときに回動部材３の回動を阻止することが可能である。
【００２２】
ハンドル挿入路５へハンドル１２を挿入すると、ハンドル１２の挿入部１２ａが板状ばね６の付勢に抗して板状ばね６の自由端部６ｂを固定部材２の前端２ｄから離間する方向へ移動させる。この状態になると、板状ばね６の自由端部６ｂは回動部材３と凸部２ｅとの間の間隙１９を通行可能となって、回動部材３を回動させることができる。
【００２３】
図３，４は、回動停止機構の図２におけるＢ−Ｂ線矢視平面図と、回動停止機構を側面から示す図２と同様の図である。図３では、円板カム１０が回動してラッチ９が図の下方へ移動した状態を仮想線で示し、図４では、シリンダ８に鍵１１が挿入され、ラッチ９が板状ばね６の自由端部６ｂを固定部材２の前端２ｄの方向へ押圧している。
【００２４】
回動停止機構は、固定部材２の前端部２ａであって回動部材３の上部に位置するケース部２ｇと、ケース部２ｇの内部に回動可能に装着されたシリンダ８と、シリンダ８の軸方向後方へ延びる軸端に装着されてシリンダ８とともに回動可能な円板カム１０と、シリンダ８と円板カム１０との間に介在し、円板カム１０の回動によって回動部材３の透孔７へ進退可能なラッチ９とで形成されている。
【００２５】
ラッチ９には、上下に長い穿孔９ｂが形成され、シリンダ８の軸端が穿孔９ｂに挿通されている。円板カム１０は、シリンダ８の軸端にビス２０で固定されている。円板カム１０には、円板カム１０の周り方向へ延びる案内１０ａが形成され、ラッチ９の後面から延びるピン９ａが円板カム１０の案内１０ａに挿通されている。
【００２６】
ラッチ９は、円板カム１０が矢印Ｌ−Ｌ′の方向へ回動すると、その回動方向によって、矢印Ｍ−Ｍ′で示す上下方向へ動くことができる。
【００２７】
ラッチ９が回動部材３の透孔７へ進入すると、ラッチ９の側面と回動部材３の透孔７の側面とが当接して回動部材３の回動が阻止されるとともに、板状ばね６の自由端部６ｂが固定部材２の前端２ｅの方向へ押圧される。この状態で挿入路５へハンドル１２を挿入しようとしても、板状ばね６の自由端部６ｂがラッチ９に押さえられているので、ハンドル１２の挿入部１２ａの全てを挿入路５へ挿入することはできない。
【００２８】
図示はしていないが、ケース部２ｇとシリンダ８とは、それらの間に介在する公知のシリンダ錠機構によって互いに係脱可能であり、シリンダ８の前端部に形成された鍵挿入部８ａ（図１参照）へ鍵１１を挿入すると、鍵１１の凹凸１１ｂがシリンダ錠機構を解除し、シリンダ８の外周面がケース部２ｇの内周面に摺接した状態でシリンダ８が時計方向と反時計方向とへ回動可能となる。
【００２９】
このシリンダ錠機構では、シリンダ８の周面から突出する板タンブラの一部が、ケース部２ｇに形成された穿穴に進入し、ケース部２ｇに対するシリンダ８の回動を阻止している。シリンダ８の鍵挿入部８ａへ鍵１１を挿入すると、鍵１１の凹凸が、圧縮ばねの付勢に抗して板タンブラをシリンダ８の内部へ押し戻し、ケース部２ｇの穿穴から板タンブラが抜脱する。この状態になると、ケース部２ｇとシリンダ８との係合が解除される。
【００３０】
図１に示す施錠状態から解錠するには、シリンダ８の鍵挿入部８ａへ鍵１１を挿入してシリンダ８とケース部２ｇとの係合を解除し、鍵１１でシリンダ８を回動させてラッチ９を透孔７から抜脱させる。図２に仮想線で示すように、ハンドル挿入路５へハンドル１２の挿入部１２ａを挿入し、板状ばね６の自由端部６ｂを固定部材２の前端２ｄから離間する方向へ移動させる。ハンドル１２を矢印Ｙ方向へ旋回させて回動部材３を回動させ、爪金具１３を固定枠１７から抜脱させる。
【００３１】
【発明の効果】
本発明に係る施錠装置によれば、挿入路に板状ばねを装着した簡単な構造なので、解錠が困難な施錠装置を安価に製造することができ、複雑な機構の施錠装置と比較して故障を少なくすることができる。
【００３２】
回動部材の回動を阻止する回動停止機構を備えたものは、シリンダの鍵挿入部へ鍵を挿入して錠機構を解除するとともに、鍵でシリンダを回動させてラッチを透孔から抜脱させなければ、ハンドルを挿入路へ挿入することができないので、施錠装置の解錠を一層困難にすることができる。
【図面の簡単な説明】
【図１】施錠装置の部分破断斜視図。
【図２】図１のＡ−Ａ線矢視断面図。
【図３】図２のＢ−Ｂ線矢視平面図。
【図４】回動停止機構を側面から示す図２と同様の図。
【符号の説明】
１ 施錠部材
２ 固定部材
２ｄ 前端
２ｅ 凸部
２ｇ ケース部
３ 回動部材
３ａ 前端部
３ｂ 後端部
４ ハンドル挿入口
５ ハンドル挿入路
６ 板状ばね
６ａ 固定端部
６ｂ 自由端部
７ 透孔
８ シリンダ
９ ラッチ
１１ 鍵
１２ ハンドル
１３ 爪金具
１６ 扉
１７ 固定枠
【図１】
0003540962.tif 000002
【図２】
0003540962.tif 000003
【図３】
0003540962.tif 000004
【図４】
0003540962.tif 000005